(57)【要約】【課題】可動部分を有する装置の美的外観をより洗練されたものとすることができ、かつ、耐久性を高めることができるようにする。【解決手段】ノート型パーソナルコンピュータに隠しヒンジが取り付けられており、例えば、ユーザが筐体９１（ディスプレイ）を持ち上げ、リンク７１がピン８２を軸として回転し、リンク７２がピン８３を軸として回転することによって、ピン６１の回転中心軸を中心にディスプレイが回転させられている。隠しヒンジは、筐体９２（本体）、または、筐体９１の内部に挿入されて外部から見えないようになされている。【選択図】図７
2012141915.tif 000002
【特許請求の範囲】
【請求項１】
回転軸線を中心に回転する第１の筐体および第２の筐体と、
一方の端部において前記第１の筐体に対して回動可能に取り付けられた第１のリンクと、
一方の端部がピンによって前記第２の筐体に取り付けられた第２のリンクと、
一方の端部において前記第２の筐体に対して回動可能に取り付けられ、他方の端部において前記第１のリンクに対して回動可能に取り付けられた第１のアームと、
一方の端部において前記第１の筐体に対して回動可能に取り付けられ、他方の端部が前記第２のリンクに対して回動可能に取り付けられた前記第２のアームとを有するヒンジを備える
電子機器。
【請求項２】
前記電子機器の使用の態様に応じて前記ヒンジにより前記第１の筐体または前記第２の筐体が回転させられ、
前記第１の筐体または前記第２の筐体が回転させられた場合、前記ヒンジが前記第１の筐体または前記第２の筐体の内部に挿入される
請求項１に記載の電子機器。
【請求項３】
前記ヒンジにおいて、
前記第１のリンクの直線状の長さと前記第２のリンクの直線状の長さが異なる
請求項２に記載の電子機器。
【請求項４】
前記ヒンジにおいて、
前記第１のアームおよび前記第２のアームは、折れ曲がった形状とされ、
前記第１のリンクおよび前記第２のリンクは、直線状の形状とされる
請求項３に記載の電子機器。
【請求項５】
前記第１の筐体は、ディスプレイを有する筐体とされ、
前記第２の筐体は、キーボードを有する筐体とされ、
前記第１の筐体と前記第２の筐体からなるノート型パーソナルコンピュータとして構成される
請求項４に記載の電子機器。
【請求項６】
一方の端部において第１の筐体に対して回動可能に取り付けられた第１のリンクと、
一方の端部がピンによって第２の筐体に取り付けられた第２のリンクと、
一方の端部において前記第２の筐体に対して回動可能に取り付けられ、他方の端部において前記第１のリンクに対して回動可能に取り付けられた第１のアームと、
一方の端部において前記第１の筐体に対して回動可能に取り付けられ、他方の端部が前記第２のリンクに対して回動可能に取り付けられた前記第２のアームとを有する
ヒンジ。
【発明の詳細な説明】
【技術分野】
【０００１】
本発明は、電子機器およびヒンジに関し、特に、可動部分を有する装置の美的外観をより洗練されたものとすることができ、かつ、耐久性を高めることができるようにする電子機器およびヒンジに関する。
【背景技術】
【０００２】
従来より、ドアや蓋などの開閉部分には隠しヒンジが利用されている。隠しヒンジは、例えば、ドアを閉じた状態（または開いた状態）において、外部から見えないような状態に取り付けられるものである。
【０００３】
すなわち、隠しヒンジは、例えば、ドア側とドア枠側に取付けられ対をなすアームを有し、両アームが、ドアの回転中心軸線となる回転ピンによって連接された構成とされ、ドアを閉じた状態（または開いた状態）においてはそれらのアームがそれぞれドア及びドア枠の相互に隣接する端面の凹所内に収納されるようになっている。
【０００４】
このような隠しヒンジを用いることで、家具などのデザインをより洗練されたものとすることができる。
【０００５】
また、自動閉止機能付き隠しヒンジに係る技術も提案されている（例えば、特許文献１参照）。
【０００６】
【特許文献１】特開２００７−０４６２６９号公報
【発明の開示】
【発明が解決しようとする課題】
【０００７】
ところで、近年、電子機器の美的外観も高度に洗練されたものが増えてきている。このような電子機器には、携帯性を高めるなどのために折り畳んで持ち運べるようにしたものも多い。
【０００８】
また、高度に洗練された美的外観を備える電子機器においては、装置の軽量化、小型化、薄型化などの工夫が不可欠であり、例えば、ノート型パーソナルコンピュータ、携帯電話機などは、さらなる薄型化が期待されている。
【０００９】
しかしながら、例えば、特許文献１に示されるような従来の隠しヒンジは、スライド機構を用いている。スライド機構を有する隠しヒンジの場合、例えば、取り付け板においてヒンジのアームの端部をスライドさせる穴の部分の強度を確保する必要があるためにスライド機構自身を小型化することが難しく、そのため装置の薄型化が困難なものとなっていた。
【００１０】
また、スライド機構は、取り付け板の穴とヒンジのアームの端部が係合した状態で摺動するようになされているため、摩擦などのよる劣化が懸念され、十分な耐久性を有するように設計する必要がある。しかし、耐久性を確保するためには、使用できる材料などが限られてしまい、例えば、装置の軽量化の妨げとなることもあった。
【００１１】
本発明はこのような状況に鑑みてなされたものであり、可動部分を有する装置の美的外観をより洗練されたものとすることができ、かつ、耐久性を高めることができるようにするものである。
【課題を解決するための手段】
【００１２】
本発明の一側面は、回転軸線を中心に回転する第１の筐体および第２の筐体と、一方の端部において前記第１の筐体に対して回動可能に取り付けられた第１のリンクと、一方の端部がピンによって前記第２の筐体に取り付けられた第２のリンクと、一方の端部において前記第２の筐体に対して回動可能に取り付けられ、他方の端部において前記第１のリンクに対して回動可能に取り付けられた第１のアームと、一方の端部において前記第１の筐体に対して回動可能に取り付けられ、他方の端部が前記第２のリンクに対して回動可能に取り付けられた前記第２のアームとを有するヒンジを備える電子機器である。
【００１３】
前記電子機器の使用の態様に応じて前記ヒンジにより前記第１の筐体または前記第２の筐体が回転させられ、前記第１の筐体または前記第２の筐体が回転させられた場合、前記ヒンジが前記第１の筐体または前記第２の筐体の内部に挿入されるようにすることができる。
【００１４】
前記ヒンジにおいて、前記第１のリンクの直線状の長さと前記第２のリンクの直線状の長さが異なるようにすることができる。
【００１５】
前記ヒンジにおいて、前記第１のアームおよび前記第２のアームは、折れ曲がった形状とされ、前記第１のリンクおよび前記第２のリンクは、直線状の形状とされるようにすることができる。
【００１６】
前記第１の筐体は、ディスプレイを有する筐体とされ、前記第２の筐体は、キーボードを有する筐体とされ、前記第１の筐体と前記第２の筐体からなるノート型パーソナルコンピュータとして構成されるようにすることができる。
【００１７】
本発明の第１の側面においては、第１のリンクが、一方の端部において前記第１の筐体に対して回動可能に取り付けられ、第２のリンクが、一方の端部がピンによって前記第２の筐体に取り付けられ、第１のアームが、一方の端部において前記第２の筐体に対して回動可能に取り付けられ、第２のアームが、他方の端部において前記第１のリンクに対して回動可能に取り付けられ、一方の端部において前記第１の筐体に対して回動可能に取り付けられ、他方の端部が前記第２のリンクに対して回動可能に取り付けられる。
【００１８】
本発明の第２の側面は、一方の端部において第１の筐体に対して回動可能に取り付けられた第１のリンクと、一方の端部がピンによって第２の筐体に取り付けられた第２のリンクと、一方の端部において前記第２の筐体に対して回動可能に取り付けられ、他方の端部において前記第１のリンクに対して回動可能に取り付けられた第１のアームと、一方の端部において前記第１の筐体に対して回動可能に取り付けられ、他方の端部が前記第２のリンクに対して回動可能に取り付けられた前記第２のアームとを有するヒンジである。
【００１９】
本発明の第２の側面においては、第１のリンクが、一方の端部において前記第１の筐体に対して回動可能に取り付けられ、第２のリンクが、一方の端部がピンによって前記第２の筐体に取り付けられ、第１のアームが、一方の端部において前記第２の筐体に対して回動可能に取り付けられ、第２のアームが、他方の端部において前記第１のリンクに対して回動可能に取り付けられ、一方の端部において前記第１の筐体に対して回動可能に取り付けられ、他方の端部が前記第２のリンクに対して回動可能に取り付けられる。
【発明の効果】
【００２０】
本発明によれば、可動部分を有する装置の美的外観をより洗練されたものとすることができ、かつ、耐久性を高めることができる。
【図面の簡単な説明】
【００２１】
【図１】従来の隠しヒンジの例を示す図である。
【図２】図１の隠しヒンジ取り付けられたノート型パーソナルコンピュータが開かれた状態における隠しヒンジを示す図である。
【図３】本発明の一実施の形態に係る隠しヒンジの例を示す図である。
【図４】図３の隠しヒンジが取り付けられたノート型パーソナルコンピュータが開かれた状態における隠しヒンジを示す図である。
【図５】図４の隠しヒンジを別の角度から見た図である。
【図６】図３の隠しヒンジをノート型パーソナルコンピュータに取り付けた場合の例を示す図である。
【図７】図６に示されるノート型パーソナルコンピュータが開かれた状態の例を示す図である。
【図８】図７に示されるノート型パーソナルコンピュータを別の角度から見た図である。
【図９】図３の隠しヒンジをノート型パーソナルコンピュータに取り付けた場合の別の例を示す図である。
【図１０】図９に示されるノート型パーソナルコンピュータが開かれた状態の例を示す図である。
【図１１】図１０に示されるノート型パーソナルコンピュータを別の角度から見た図である。
【発明を実施するための形態】
【００２２】
以下、図面を参照して、本発明の実施の形態について説明する。
【００２３】
最初に従来の隠しヒンジについて説明する。
【００２４】
図１は従来の隠しヒンジ１０の例を示す図である。同図に示されるように、この隠しヒンジ１０は、取り付け板２１、および取り付け板２２を有する構成とされている。取り付け板２１および取り付け板２２は、例えば、それぞれ装置の第１の筐体と第２の筐体に取り付けられる。
【００２５】
ここで、第１の筐体は、例えば、折り畳んで持ち運ぶことができるノート型パーソナルコンピュータのディスプレイとして構成され、第２の筐体は、例えば、ノート型パーソナルコンピュータの本体として構成される。
【００２６】
また、隠しヒンジ１０は、アーム２３とアーム２４を有する構成とされており、アーム２３とアーム２４は、ピン３１により結合されている。すなわち、ピン３１の中心を通る図中奥行方向の線が、例えば、ノート型パーソナルコンピュータのディスプレイ（または本体）回転中心軸線となる。
【００２７】
アーム２３の端部２３ａは、取り付け板２１の穴２１ａに係合した状態で穴２１ａの内部を図中水平（やや斜め）方向にスライドするようになされている。同様に、アーム２４の端部２４ａは、取り付け板２２の穴２２ａに係合した状態で穴２２ａの内部を図中水平（やや斜め）方向にスライドするようになされている。
【００２８】
そして、アーム２３の別の端部は、ピン３３により取り付け板２２に結合されている。同様に、アーム２４の別の端部は、ピン３２により取り付け板２１に結合されている。
【００２９】
なお、隠しヒンジ１０においてピンにより結合された各部は、そのピンを軸として回転できるように構成されている。
【００３０】
また、隠しヒンジ１０がノート型パーソナルコンピュータに取り付けられるものである場合、図１に示される状態において、そのノート型パーソナルコンピュータは、折り畳まれた状態（閉じられた状態）となる。
【００３１】
図２は、図１の隠しヒンジ１０がノート型パーソナルコンピュータに取り付けられるものである場合、そのノート型パーソナルコンピュータが開かれた状態における隠しヒンジ１０を示す図である。例えば、ユーザがノート型パーソナルコンピュータのディスプレイを持ち上げた場合、アーム２３の端部２３ａが穴２１ａの内部をスライドし、アーム２４の端部２４ａが穴２２ａの内部をスライドすることによって、ピン３１の回転中心軸を中心にディスプレイが回転させられることになる。
【００３２】
なお、アーム２３とアーム２４のそれぞれは、ノート型パーソナルコンピュータを開閉できるように折れ曲がった形状とされている。
【００３３】
このような隠しヒンジ１０を取り付けることにより、ノート型パーソナルコンピュータのディスプレイを開いた状態で、ユーザから隠しヒンジ１０が見えないようにすることができる。
【００３４】
上述したように、図１に示されるような従来の隠しヒンジは、スライド機構を用いている。スライド機構を有する隠しヒンジの場合、例えば、取り付け板２１、または、取り付け板２２においてヒンジのアームの端部２３ａまたは端部２４ａをスライドさせる穴２１ａまたは穴２２ａの部分の強度を確保する必要があるために小型化することが難しい。
【００３５】
例えば、図１の取り付け板２１の図中垂直方向の長さをこれ以上短くすると、アーム２３の端部２３ａが穴２１ａに係合した状態で内部を図中水平（やや斜め）方向にスライドするとき、取り付け板２１が損壊してしまうおそれがある。
【００３６】
取り付け板２１は、例えば、ノート型パーソナルコンピュータのディスプレイに取り付けられる。従って、ノート型パーソナルコンピュータのディスプレイの厚みを取り付け板２１の図中垂直方向の長さより薄くすることができない。
【００３７】
また、スライド機構は、取り付け板の穴とアームの端部が係合した状態で摺動するようになされているため、摩擦などのよる劣化が懸念され、十分な耐久性を有するように設計する必要がある。しかし、耐久性を確保するためには、使用できる材料などが限られてしまう。
【００３８】
このように、従来の隠しヒンジは、装置の薄型化や軽量化の妨げとなることがあった。
【００３９】
そこで、本発明では、従来の隠しヒンジとは異なる隠しヒンジを提供することができるようにする。すなわち、高い耐久性を維持しつつ、装置の薄型化や軽量化を可能とするような隠しヒンジを提供できるようにする。
【００４０】
図３は、本発明の一実施の形態に係る隠しヒンジ５０の例を示す図である。同図に示されるように、この隠しヒンジ５０は、取り付け板５１、および取り付け板５２を有する構成とされている。取り付け板５１および取り付け板５２は、例えば、それぞれ装置の第１の筐体と第２の筐体に取り付けられる。
【００４１】
なお、取り付け板５１および取り付け板５２は設けられないようにし、後述するアーム５３、アーム５４、リンク７１、およびリンク７２が直接、第１の筐体または第２の筐体に取り付けられるようにしてもよい。
【００４２】
ここで、第１の筐体は、例えば、折り畳んで持ち運ぶことができるノート型パーソナルコンピュータのディスプレイとして構成され、第２の筐体は、例えば、ノート型パーソナルコンピュータの本体として構成される。
【００４３】
また、隠しヒンジ５０は、アーム５３とアーム５４を有する構成とされており、アーム５３とアーム５４は、ピン６１により結合されている。すなわち、ピン６１の中心を通る図中奥行方向の線が、例えば、ノート型パーソナルコンピュータのディスプレイ（または本体）回転中心軸線となる。
【００４４】
なお、アーム５３とアーム５４のそれぞれは、ノート型パーソナルコンピュータを開閉できるように折れ曲がった形状とされている。この例では、アーム５３は、角部５３ａと角部５３ｂにおいて折れ曲がった形状とされており、アーム５３は、角部５４ａと角部５４ｂにおいて折れ曲がった形状とされている。
【００４５】
さらに、隠しヒンジ５０は、リンク７１およびリンク７２を有する構成とされている。リンク７１およびリンク７２は、アーム５３およびアーム５４とは異なり、直線状の形状とされている。
【００４６】
アーム５３の一方の端部は、ピン６３により取り付け板５２に結合されている。アーム５３の他方の端部は、ピン８１によりリンク７１に結合されている。アーム５４の一方の端部は、ピン６２により取り付け板５１に結合されている。アーム５４の他方の端部は、ピン８４によりリンク７２に結合されている。
【００４７】
リンク７１の一方の端部は、ピン８１によりアーム５３に結合されている。リンク７１の他方の端部は、ピン８２により取り付け板５１に結合されている。リンク７２の一方の端部は、ピン８４によりアーム５４に結合されている。リンク７２の他方の端部は、ピン８３により取り付け板５２に結合されている。
【００４８】
なお、隠しヒンジ５０においてピンにより結合された各部は、そのピンを軸として回転できるように構成されている。
【００４９】
なお、隠しヒンジ５０がノート型パーソナルコンピュータに取り付けられるものである場合、図３に示される状態において、そのノート型パーソナルコンピュータは、折り畳まれた状態（閉じられた状態）となる。
【００５０】
図４は、図３の隠しヒンジ５０がノート型パーソナルコンピュータに取り付けられるものである場合、そのノート型パーソナルコンピュータが開かれた状態における隠しヒンジ５０を示す図である。例えば、ユーザがパーソナルコンピュータのディスプレイを持ち上げた場合、リンク７１がピン８２を軸として回転し、リンク７２がピン８３を軸として回転することによって、ピン６１の回転中心軸を中心にディスプレイが回転させられることになる。
【００５１】
なお、図３と図４の例においては、隠しヒンジ５０において、リンク７１は、リンク７２より短く構成されている。例えば、隠しヒンジ５０がノート型パーソナルコンピュータに取り付けられるものである場合、リンク７１がリンク７２と同等以上の長さを有していると、ユーザがディスプレイを持ち上げたとき、ディスプレイの下側の端部が本体とぶつかって動かなくなるおそれがあるからである。
【００５２】
すなわち、仮にリンク７１がより長く構成されている場合、リンク７１がピン８２を軸として回転する際に、取り付け板５１が取り付け板５２に対してほぼ直角の向きとなるときに、取り付け板５１は、図中下方向に大きく移動することになる。そうすると、取り付け板５１に取り付けられたディスプレイの下側の端部が本体とぶつかって動かなくなると考えられる。
【００５３】
このため、隠しヒンジ５０をパーソナルコンピュータなどに取り付ける場合、リンク７１は、リンク７２より短く構成することが望ましい。勿論、隠しヒンジ５０をパーソナルコンピュータなどとは異なる装置に取り付ける場合などは、リンク７１をより長く構成するようにしても構わない。
【００５４】
また、図３に示される隠しヒンジ５０の場合、図１に示される隠しヒンジ１０と比較して、アームが必要とする図中垂直方向の長さを短くすることが可能となる。
【００５５】
例えば、図１の隠しヒンジ１０の場合、アームが必要とする図中垂直方向の長さは、アーム２３の端部２３ａからアーム２４の端部２４ａまでの長さとなる。これに対して、図３の隠しヒンジ５０の場合、アームが必要とする図中垂直方向の長さは、アーム５４の角部５４ｂからアーム５３の角部５３ｂまでとなる。
【００５６】
すなわち、図３の隠しヒンジ５０の場合、ピン６２の取り付け位置とピン８２の取り付け位置を結んだ線が取り付け板５１のほぼ中央の水平な線となるように構成されている。また、ピン６３の取り付け位置とピン８３の取り付け位置を結んだ線が取り付け板５１のほぼ中央の水平な線となるように構成されている。このため、アームが必要とする図中垂直方向の長さを短くすることができるのである。
【００５７】
これにより、本発明の隠しヒンジ５０がノート型パーソナルコンピュータの第１の筐体および第２の筐体をより薄く構成することが可能となるのである。
【００５８】
さらに、図３の隠しヒンジ５０の場合、図１の隠しヒンジ１０の場合と異なり、スライド機構が設けられていない。上述したように、スライド機構は、取り付け板の穴とアームの端部が係合した状態で摺動するようになされているため、摩擦などのよる劣化が懸念され、十分な耐久性を有するように設計する必要がある。
【００５９】
本発明の隠しヒンジ５０を用いれば、ノート型パーソナルコンピュータの第１の筐体および第２の筐体をより薄く構成しても、十分な耐久性を有するようにすることができるのである。
【００６０】
図５は、図４の隠しヒンジ５０を別の角度から見た図である。同図に示されるように、隠しヒンジ５０は、十分な開閉範囲を有している。なお、隠しヒンジ５０単体での開閉範囲は、およそ０°から１８０°となる。
【００６１】
図６は、図３の隠しヒンジ５０をノート型パーソナルコンピュータに取り付けた場合の例を示す図である。同図の筐体９１は、例えば、ノート型パーソナルコンピュータのディスプレイとされ、筐体９２は、例えば、ノート型パーソナルコンピュータの本体とされる。図６は、ノート型パーソナルコンピュータが閉じられた状態として記載されており、便宜上、筐体９１または筐体９２の内部が透視できるように表現されている。
【００６２】
この例では、筐体９１の図中右側端部が斜めの面を有する構成とされており、ノート型パーソナルコンピュータが閉じられた状態で、隠しヒンジ５０の一部が筐体９２の上側に露出している。
【００６３】
図７は、図６に示されるノート型パーソナルコンピュータが開かれた状態の例を示す図である。同図に示されるノート型パーソナルコンピュータは、例えば、ユーザが筐体９１（ディスプレイ）を持ち上げ、リンク７１がピン８２を軸として回転し、リンク７２がピン８３を軸として回転することによって、ピン６１の回転中心軸を中心にディスプレイが回転させられている。
【００６４】
同図に示されるように、隠しヒンジ５０は、筐体９２、または、筐体９１の内部に挿入されて外部から見えないようになされている。ただし、この図では、便宜上、筐体９１または筐体９２の内部が透視できるように表現されている。
【００６５】
図８は、図７に示されるノート型パーソナルコンピュータ９０を別の角度から見た図である。
【００６６】
同図に示されるように、開かれた状態のノート型パーソナルコンピュータ９０において、筐体９１のディスプレイの画面９１ａが見える状態とされており、筐体９２のキーボード９２ａが打鍵可能な状態とされている。この状態において、筐体９１と筐体９２の接続部分となる領域９５に、ヒンジが見えないようになされている。
【００６７】
このように、隠しヒンジ５０を用いることによって、例えば、ノート型パーソナルコンピュータ９０の美的外観をより洗練されたものとすることができる。
【００６８】
以上においては、隠しヒンジ５０のアーム、リンクなどを取り付けるにあたり、回動可能に取り付けるためにピンを用いて結合するものとして説明したが、アーム、リンクなどを回動可能とすることができれば、必ずしもピンを用いる必要はない。例えば、隠しヒンジ５０において、ピン６１、ピン６２、ピン６３、ピン８１、ピン８２、ピン８３、ピン８４を設けずに、アーム５３とアーム５４の端部、および、リンク７１とリンク７２の端部を回動可能な係合部として構成するようにしてもよい。
【００６９】
また、上述した例では、隠しヒンジ５０のアーム５３とアーム５４は、ピン６１により結合されているものと説明したが、必ずしもアーム５３とアーム５４が結合されている必要はない。すなわち、ピン６１に対応する位置において、ノート型パーソナルコンピュータのディスプレイ（または本体）回転中心軸線となるように、隠しヒンジ５０を構成することができれば、アーム５３とアーム５４とが結合される必要はない。
【００７０】
図９は、図３の隠しヒンジ５０をノート型パーソナルコンピュータに取り付けた場合の別の例を示す図である。同図の筐体１０１は、例えば、ノート型パーソナルコンピュータのディスプレイとされ、筐体１０２は、例えば、ノート型パーソナルコンピュータの本体とされる。図９は、ノート型パーソナルコンピュータが閉じられた状態として記載されており、便宜上、筐体１０１または筐体１０２の内部が透視できるように表現されている。
【００７１】
図９の例の場合、図６の場合と異なり、筐体１０２の図中右側端部が斜めの面を有する構成とされており、ノート型パーソナルコンピュータを開いたときに、ディスプレイの下側の端部が本体のさらに下側に突出するようになされている。また、ノート型パーソナルコンピュータが閉じられた状態で、隠しヒンジ５０の一部が筐体１０１の下側に露出している。このように、隠しヒンジ５０の一部が筐体１０１の下側に露出している場合、ノート型パーソナルコンピュータが閉じられた状態で隠しヒンジ５０が視認される可能性は低いといえる。
【００７２】
さらに、図９の例の場合、隠しヒンジ５０の取り付け板５１および取り付け板５２の上下の位置関係が図６の場合と逆となるようにとりつけられており、同様に、アームとリンクも上下の位置関係が図６の場合と逆となるようにとりつけられている。
【００７３】
図１０は、図９に示されるノート型パーソナルコンピュータが開かれた状態の例を示す図である。同図に示されるノート型パーソナルコンピュータは、例えば、ユーザが筐体１０１（ディスプレイ）を持ち上げ、リンク７１がピン８２を軸として回転し、リンク７２がピン８３を軸として回転することによって、ピン６１の回転中心軸を中心にディスプレイが回転させられている。
【００７４】
同図に示されるように、隠しヒンジ５０は、筐体１０２、または、筐体１０１の内部に挿入されて外部から見えないようになされている。ただし、この図では、便宜上、筐体１０１または筐体１０２の内部が透視できるように表現されている。
【００７５】
また、図１０において、上述したように、ディスプレイ（筐体１０１）の下側の端部が本体（筐体１０１）のさらに下側に突出している。
【００７６】
図１１は、図１０に示されるノート型パーソナルコンピュータ１００を別の角度から見た図である。
【００７７】
同図に示されるように、開かれた状態のノート型パーソナルコンピュータ１００において、筐体１０１のディスプレイの画面１０１ａが見える状態とされており、筐体１０２のキーボード１０２ａが打鍵可能な状態とされている。この状態において、筐体１０１と筐体１０２の接続部分となる領域１０５に、ヒンジが見えないようになされている。
【００７８】
さらに、図１１の例の場合、図８の場合と異なり、ディスプレイ（筐体１０１）の下側の端部が本体（筐体１０２）のさらに下側に突出したことにより、キーボード１０２ａの打鍵面がユーザに向かってやや斜めになるようになされている。このようにすることで、ユーザは、より打鍵しやすくなる。
【００７９】
このように、隠しヒンジ５０を用いることによって、例えば、ノート型パーソナルコンピュータの美的外観をさらに洗練されたものとし、かつ、機能性に富んだものとすることができる。
【００８０】
なお、図６または図９において、隠しヒンジ５０の一部が露出している部分には、例えば、蛇腹のような収縮するカバーを設けて露出している部分を覆うようにすれば、ノート型パーソナルコンピュータ１００の美的外観はさらに洗練されたものとなる。
【００８１】
以上においては、隠しヒンジ５０をパーソナルコンピュータに用いる例について説明したが、他の装置に用いられるようにしてもよい。すなわち、本発明によれば、可動部分を有する装置の美的外観をより洗練されたものとすることができ、かつ、耐久性を高めることができる。
【００８２】
また、本発明の実施の形態は、上述した実施の形態に限定されるものではなく、本発明の要旨を逸脱しない範囲において種々の変更が可能である。
【符号の説明】
【００８３】
５０  隠しヒンジ，  ５１  取り付け板，  ５２  取り付け板，  ５３  アーム，  ５４  アーム，  ６１  ピン，  ６２  ピン  ，  ６３  ピン，  ７１  リンク，  ７２  リンク，  ８１  ピン，  ８２  ピン，  ８３  ピン，  ８４  ピン，  ９０  ノート型パーソナルコンピュータ，  ９１  第１の筐体  ９２  第２の筐体，  １００  ノート型パーソナルコンピュータ，  １０１  第１の筐体，  １０２  第２の筐体
【図１】
2012141915.tif 000003
【図２】
2012141915.tif 000004
【図３】
2012141915.tif 000005
【図４】
2012141915.tif 000006
【図５】
2012141915.tif 000007
【図６】
2012141915.tif 000008
【図７】
2012141915.tif 000009
【図８】
2012141915.tif 000010
【図９】
2012141915.tif 000011
【図１０】
2012141915.tif 000012
【図１１】
2012141915.tif 000013